(57)【特許請求の範囲】
【請求項１】
直線状に配置された連絡母線の一方の側に電力用ケーブルヘッド，避雷器，接地開閉器、及び断路器を直線状に配置した第１の部分と中性点接地抵抗器が３組ずつ交互に配置されていると共に、前記第１の部分と中性点接地抵抗器が前記連絡母線により接続されていることを特徴とするガス絶縁開閉装置。
【請求項２】
前記連絡母線が断路器と接地開閉器を具備するものであることを特徴とする請求項１に記載のガス絶縁開閉装置。
【請求項３】
地下変電所の中央側に１２０ｋＶ用のガス絶縁開閉装置を配置し、該１２０ｋＶ用のガス絶縁開閉装置の隣に２４０ｋＶ用のガス絶縁開閉装置を並置し、前記１２０ｋＶ用のガス絶縁開閉装置の前記２４０ｋＶ用のガス絶縁開閉装置とは反対側にマシンハッチを設置すると共に、地下変電所の中央側に前記１２０ｋＶ用のガス絶縁開閉装置と併設して請求項１に記載のガス絶縁開閉装置を設けたことを特徴とする地下変電所。
【請求項４】
前記１２０ｋＶ用のガス絶縁開閉装置側に中性点接地抵抗器を配置したことを特徴とする請求項３記載の地下変電所。
【発明の詳細な説明】
【０００１】
【発明の属する技術分野】
本発明はガス絶縁開閉装置及びそれを備えた地下変電所に係り、特に、屋外変電所に比べて狭隘な場所である地下変電所等に設置され、合理的な配置に適した構造を有するガス絶縁開閉装置及びそれを備えた地下変電所に関する。
【０００２】
【従来の技術】
従来のガス絶縁開閉装置は、屋外変電所に適用されており、特開昭57−101507号公報に記載のように変圧器中性点用のガス絶縁開閉装置では、電力用変圧器中性点に接続される電力用ケーブルヘッド，避雷器，接地開閉器および断路器と接地との間に挿入される中性点接地抵抗器を一直線的に配置して１ユニットを構成し、これら各ユニットを連絡母線，断路器，接地開閉器で接続するように構成していた。
【０００３】
【発明が解決しようとする課題】
上記従来の技術では、連絡母線の変圧器に接続する電力用ケーブルヘッド等の機器と中性点接地抵抗器とを一直線的に配置するので、その長手方向の長さ（ユニットの幅）が必然的に大きくなり、地下変電所に適用した場合には、２４０  ｋＶ用のＧＩＳや１２０ｋＶ用のＧＩＳの搬出入ができないだけでなく、機器の中性点接地抵抗を搬出する場合に必要なスペースを確保できないので、ＧＩＳルームを大きくする必要性が生ずる問題点がある。
【０００４】
本発明の第１の目的は、ユニットの幅が小さく、機器の搬出入に必要なスペースも小さく細長いスペースでの配置に適したガス絶縁開閉装置を提供することにある。
また、本発明の第２の目的は、建物全体を大きくすることなく、必要な機器を合理的に配置できる地下変電所を提供することにある。
【０００５】
【課題を解決するための手段】
本発明のガス絶縁開閉装置は、上記の第１の目的を達成するために、直線状に配置された連絡母線の一方の側に電力用ケーブルヘッド，避雷器，接地開閉器、及び断路器を直線状に配置した第１の部分と中性点接地抵抗器が３組ずつ交互に配置されていると共に、前記第１の部分と中性点接地抵抗器が前記連絡母線により接続されていることを特徴とする。
【０００６】
また、本発明の地下変電所は、上記の第２の目的を達成するために、地下変電所の中央側に１２０ｋＶ用のガス絶縁開閉装置を配置し、該１２０ｋＶ用のガス絶縁開閉装置の隣に２４０ｋＶ用のガス絶縁開閉装置を並置し、前記１２０ｋＶ用のガス絶縁開閉装置の前記２４０ｋＶ用のガス絶縁開閉装置とは反対側にマシンハッチを設置すると共に、地下変電所の中央側に前記１２０ｋＶ用のガス絶縁開閉装置と併設して請求項１に記載のガス絶縁開閉装置を設けたことを特徴とする
【０００９】
【発明の実施の形態】
以下に本発明の一実施例を図１から図５によって説明する。図１は、本実施例のガス絶縁開閉装置の配置構成を示す平面図、図２は、本実施例のガス絶縁開閉装置の単線結線図、図３は、図１の矢視Ａ−Ａ断面図、図４は、図１の矢視Ｂ−Ｂ断面図、図５は、地下変電所への適用例を示す平面図である。
【００１０】
本実施例のガス絶縁開閉装置は、図１，図２に示すように、中性点接地抵抗器５には、連絡母線６が接続されており、この連絡母線６に中性点接地抵抗器５と平行して断路器４，接地開閉器３，避雷器２，電力用ケーブルヘッド１が順に一直線状に接続されている。これらは、交互に配列され、図１に示す例では、３組みの中性点接地抵抗器５、及び３組の断路器４，接地開閉器３，避雷器２，電力用ケーブルヘッド１が交互に配置されている。断路器４と中性点接地抵抗器５との接続は、断路器７及び接地開閉器８を設けた連絡母線６によって行われている。中性点接地抵抗器５は、電力用変圧器の中性点と接地間に挿入されている。
【００１１】
図３に示すように、連絡母線６は、中性点接地抵抗器５の上部で接続されており、連絡母線６は、架台９によって支持されている。又、図４に示すように、架台９の上部に支持された連絡母線６は、架台９によって支持された断路器４と接続され、断路器４は接地開閉器３と接続されている。この接地開閉器３は、分岐部を介して縦形の避雷器２と接続されている。又、接地開閉器３は、分岐部を介して縦形の電力用ケーブルヘッド１と接続されている。
【００１２】
このように、本実施例のガス絶縁開閉装置は、電力用ケーブルヘッド１，避雷器２，接地開閉器３および断路器４からなる部分の中心線と中性点接地抵抗器５の中心線を平行配置し、それらを連絡母線６，断路器７，接地開閉器８の軸線の中性点接地抵抗器５の側に配置して構成している。このように構成しているので、ユニットの幅が半減できる。従来の技術との比較例をあげると、据付所要面積は約７６％で幅方向長さは約５７％の細長い形状とすることが可能となる。
【００１３】
図５は、本実施例のガス絶縁開閉装置を円形の地下変電所に適用した例を示す。この例の地下変電所では、中央側に１２０ｋＶ用のＧＩＳ１４が配置されており、このＧＩＳ１４の隣りには、２４０ｋＶ用のＧＩＳ１５が並置されている。ＧＩＳ１４のＧＩＳ１５とは反対側にはマシンハッチ１２が設置されており、  ＧＩＳ１４の空いた敷地には本実施例で示す中性点用のＧＩＳ１６が配置されている。これらＧＩＳ１４，１５，１６が配置されている部分がＧＩＳルーム１３であり、本実施例の中性点用のＧＩＳ１６は、面積も小さく、細長い構成であるので、１２０ｋＶ用のＧＩＳ１４との間に十分なスペースを確保できるようになり、２４０ｋＶ用のＧＩＳ１５や１２０ｋＶ用のＧＩＳ１４の搬出入が可能となる。すなわち、中性点接地抵抗器５や電力用ケーブルヘッド１等の大型機器が同一方向に配置されているので、図１に二点鎖線で示すように、中性点接地抵抗器５の搬出入ができ、そのスペースを用いて２４０kＶ用のＧＩＳ１５や１２０kＶ用のＧＩＳ１４の搬出入ができる。又、搬出入に必要な両側のスペースを縮減できるため、建物全体を大きくすることなく、必要な機器を合理的に配置できる。このように、変電所の都市部への建設需要に対しても、合理的な配置構成により建物全体の縮小化できる。
【００１４】
【発明の効果】
以上のように、本発明によれば、ユニットの幅が小さく、機器の搬出入に必要なスペースも小さく細長いスペースでの配置に適したガス絶縁開閉装置を得ることが、このガス絶縁開閉装置を適用した地下変電所とすることにより、建物全体を大きくすることなく、必要な機器を合理的に配置できるという効果を得ることができる。
【図面の簡単な説明】
【図１】本発明の一実施例であるガス絶縁開閉装置の配置構成を示す平面図である。
【図２】本実施例のガス絶縁開閉装置の単線結線図である。
【図３】図１の矢視Ａ−Ａ断面図である。
【図４】図１の矢視Ｂ−Ｂ断面図である。
【図５】本実施例を適用した地下変電所の配置構成を示す平面図である。
【符号の説明】
１…電力用ケーブルヘッド、２…避雷器、３…接地開閉器、４…断路器、５…中性点接地抵抗器、６…連絡母線、７…断路器、８…接地開閉器、９…架台、  １０…断路器用操作器、１１…接地開閉器用操作器、１２…マシンハッチ、１３…ＧＩＳルーム、１４…１２０ｋＶ用のＧＩＳ、１５…２４０ｋＶ用のＧＩＳ、１６…中性点用のＧＩＳ。
【図１】
0003867364.tif 000002
【図２】
0003867364.tif 000003
【図３】
0003867364.tif 000004
【図４】
0003867364.tif 000005
【図５】
0003867364.tif 000006